(57)【特許請求の範囲】
【請求項１】
屋根の軸組の間に板状の断熱材を取り付けて断熱する構造であって、
この断熱材を主断熱材と補助断熱材とで構成し、
これら主断熱材および補助断熱材を、それぞれ一端部の端面を屋根勾配とほぼ同一角度の傾斜面に形成するとともに、他端部の端面を表裏面と略垂直な平面に形成し、
前記主断熱材の前記一端部の傾斜面を前記軸組を構成する母屋のほぼ鉛直な側面に密着させて取り付ける一方、
前記主断熱材の前記他端部は、当該主断熱材の室内側表面と、前記軸組を構成する他方の母屋のほぼ鉛直な側面とのいずれか一方に前記補助断熱材の前記一端部の傾斜面を密着させかついずれか他方に当該補助断熱材の当該傾斜面と隣接する表面を密着させることで取り付けたことを特徴とする屋根の断熱構造。
【請求項２】
前記主断熱材と前記補助断熱材とを１枚の板状の断熱材を屋根勾配とほぼ同一角度に切断した２つの断熱材片によって構成したことを特徴とする請求項１記載の屋根の断熱構造。
【発明の詳細な説明】
【０００１】
【発明の属する技術分野】
この発明は、屋根の断熱構造に関し、木造や鉄骨構造の和風小屋組の垂木を支える母屋と母屋の間に断熱材を取り付ける内断熱工法における断熱性の向上と施工の容易化を図るようにしたものである。
【０００２】
【従来の技術】
従来から建築構造物の室内を快適に保つとともに、冷暖房に必要なエネルギの低減のため断熱材を取り付けて断熱することが行われており、外壁部分だけでなく、屋根部分を断熱することも行われている。
【０００３】
この建築構造物の屋根部分を断熱する方法としては、天井に断熱材を取り付ける天井断熱と外壁の断熱層とともに屋根の外郭構造に沿って施工する屋根断熱とがあるが、小屋裏空間を室内空間として有効利用できることから屋根断熱が優れているとされている。
【０００４】
このような屋根断熱を行う施工法としては、断熱材の軸組への取付位置により外断熱工法と内断熱工法に大別され、断熱層の連続性において外断熱工法の方が適していると考えられてきた。
【０００５】
この外断熱工法による屋根の断熱構造は、例えば図３に示すように、母屋１ａ上に垂木１ｂが配置されて屋根部分の軸組１が構成され、この軸組１を構成する垂木１ｂ上に断熱材２が配置されて釘やビスなどの断熱材緊結材３で垂木１ｂに固定される。そして、この断熱材２の外側に屋根材固定用の胴縁４が釘やビスなどの胴縁緊結材５で垂木１ｂに固定され、この胴縁４の外側に野地板６及びルーフィング７が配置されて釘などで胴縁４に固定され、最も外側に屋根材８が配置されて屋根材緊結材９で野地板６に固定されるようになっている。
【０００６】
このような外断熱工法では、断熱材２が比較的柔らかく軽量であるのに対し、屋根材８の重量が大きいため断熱材２に構造材としての保持力がほとんど期待できず、屋根材８の重量が胴縁緊結材５の頭部にかかり、胴縁緊結材５の根元を支点とする曲げモーメントが作用する。
【０００７】
一方、平成１１年３月３０日公布の次世代省エネルギ基準に見られるように、省エネルギ性を高めるために断熱材の厚さが大きくなる傾向になってきており、これによって軸組１と屋根材８との距離が大きくなって胴縁緊結材５を曲げる力が増大し、特に積雪地では屋根勾配や屋根材８の重量との組み合わせによって外断熱工法を採用することができないケースも出来てきた。
【０００８】
そこで、屋根の断熱構造として内断熱工法が見直され、屋根材を軸組の垂木に直接取り付け、断熱材を軸組の母屋の間に取り付けるようにして外断熱工法の問題点を解消しようとしている。
【０００９】
これまでの屋根の内断熱工法では、図４（ａ）に示すように、軸組１を構成する母屋１ａの間に断熱材２の両端面（木口）２ａを垂直に形成したまま垂木１ｂに沿うように断熱材緊結材３で取り付けたり、同図（ｂ）に示すように、断熱材２の両端面（木口）２ａを屋根勾配に合わせて斜めにカットし、両端面２ａが母屋１ａのほぼ鉛直な側面に接するように垂木１ｂに沿って図示省略した断熱材緊結材で取り付けるようにしている。
【００１０】
【発明が解決しようとする課題】
ところが、断熱材２の両端面２ａを垂直に形成したまま取り付ける場合には、軸組１の母屋１ａの間隔に合わせた断熱材２であっても母屋１ａとの接触面積が線状で小さく、この接触部にヒートブリッジ（熱橋）が生じ、寒冷地では冬期に結露が生じてしまうという問題がある。
【００１１】
これに対し、断熱材２の両端面（木口）２ａを屋根勾配に合わせて斜めにカットして取り付ける場合には、母屋１ａとの接触面積を増大することができるものの、建築構造物では、母屋１ａの間隔が必ずしも一定でなく、断熱材２の両端面２ａのカットを現場合わせで行わねばならず、寸法が合わないと断熱材２と母屋１ａとの間に隙間ができてしまうことから、施工が繁雑で時間もかかるという問題がある。
【００１２】
この発明は、かかる従来技術の問題点に鑑みてなされたもので、内断熱工法であっても軸組との間に隙間によるヒートブリッジなどが生じることがなく断熱性に優れるとともに、施工が容易な屋根の断熱構造を提供しようとするものであり、さらに断熱材の無駄が生じないようにした屋根の断熱構造を提供しようとするものである。
【００１３】
【課題を解決するための手段】
上記従来技術が有する課題を解決するため、この発明の請求項１記載の屋根の断熱構造は、屋根の軸組の間に板状の断熱材を取り付けて断熱する構造であって、この断熱材を主断熱材と補助断熱材とで構成し、これら主断熱材および補助断熱材を、それぞれ一端部の端面を屋根勾配とほぼ同一角度の傾斜面に形成するとともに、他端部の端面を表裏面と略垂直な平面に形成し、前記主断熱材の前記一端部の傾斜面を前記軸組を構成する母屋のほぼ鉛直な側面に密着させて取り付ける一方、前記主断熱材の前記他端部は、当該主断熱材の室内側表面と、前記軸組を構成する他方の母屋のほぼ鉛直な側面とのいずれか一方に前記補助断熱材の前記一端部の傾斜面を密着させかついずれか他方に当該補助断熱材の当該傾斜面と隣接する表面を密着させることで取り付けたことを特徴とするものである。
【００１４】
この屋根の断熱構造によれば、屋根の軸組の間に板状の断熱材を取り付けて断熱する構造で、この断熱材を主断熱材と補助断熱材とで構成し、これら主断熱材および補助断熱材を、それぞれ一端部の端面を屋根勾配とほぼ同一角度の傾斜面に形成するとともに、他端部の端面を表裏面と略垂直な平面に形成し、前記主断熱材の前記一端部の傾斜面を前記軸組を構成する母屋のほぼ鉛直な側面に密着させて取り付ける一方、前記主断熱材の前記他端部は、当該主断熱材の室内側表面と、前記軸組を構成する他方の母屋のほぼ鉛直な側面とのいずれか一方に前記補助断熱材の前記一端部の傾斜面を密着させかついずれか他方に当該補助断熱材の当該傾斜面と隣接する表面を密着させることで取り付けるようにしており、一方の母屋の側面に主断熱材の屋根勾配に形成した一端面を接触させ、この主断熱材の他端面と他方の母屋の間の隙間を屋根勾配に形成した端面を備える補助断熱材を、傾斜した端面を母屋の側面に当てたり、主断熱材の表面のいずれかに当てて密着させて塞ぐことができ、断熱性に優れるとともに、簡単に施工できるようにしている。
【００１５】
また、この発明の請求項２記載の屋根の断熱構造は、請求項１記載の構成に加え、前記主断熱材と前記補助断熱材とを１枚の板状の断熱材を屋根勾配とほぼ同一角度に切断した２つの断熱材片によって構成したことを特徴とするものである。
【００１６】
この屋根の断熱構造によれば、前記主断熱材と前記補助断熱材とを１枚の板状の断熱材を屋根勾配とほぼ同一角度に切断した２つの断熱材片によって構成するようにしており、１枚の板状の断熱材を屋根勾配に合わせて１回切断するだけで主断熱材と補助断熱材を得ることができ、施工が容易となるとともに、断熱材の無駄をなくすことができるようにしている。
【００１７】
【発明の実施の形態】
以下、この発明の屋根の断熱構造の一実施の形態について図面に基づき詳細に説明する。
図１および図２は、この発明の屋根の断熱構造の一実施の形態にかかり、各図（ａ）は概略断面図、各図（ｂ）は断熱材のみの断面図であり、図１と図２では補助断熱材の配置が異なるものである。
【００１８】
この屋根の断熱構造１０が適用される屋根の軸組１は、例えば木造や鉄骨構造などの和風小屋組等で、母屋１ａ上に垂木１ｂが配置され、この母屋１ａは梁１ｃ上に直接取り付けられたり、束１ｄを介して梁１ｃに取り付けられ、さらに、垂木１ｂ上に通気層を介したり、通気層を省いて野地板６及びルーフィング７が設けられ、最も外側に屋根材８が取り付けられる構造などであり、母屋１ａの側面がほぼ鉛直に配置され、各母屋１ａ上に屋根勾配に応じた垂木１ｂが取り付けられる構造であれば、これに限らず一般の建築構造物における屋根の軸組構造に広く適用される。
【００１９】
このような屋根の軸組１の母屋１ａの間に板状の断熱材１１を取り付けて断熱するこの屋根の断熱構造１０では、断熱材１１として主断熱材１２と補助断熱材１３とが用いられる。
【００２０】
この断熱材１１を構成する主断熱材１２と補助断熱材１３は、板状の断熱材１１の一端部を屋根の勾配に合わせて斜めにカットすることで得られる２つの断熱材片によって得ることができ、例えば板状の断熱材１１を母屋１ａの対向するほぼ鉛直な側面同志の間隔と同一乃至わずかに小さくなる位置でカットするようにし、２つの断熱材片のうち大きい方を主断熱材１２とし、小さい方を補助断熱材１３とする。
【００２１】
こうして得られた主断熱材１２は一端面（木口）１２ａが屋根勾配とほぼ同一角度に形成された傾斜面とされ、他端面（木口）１２ｂが表裏面１２ｃ，１２ｄとほぼ垂直な平面となっている。なお、ここでは、断熱材の表裏面を、斜めにカットして台形状の断面の短辺側を表面とし、長辺側を裏面として説明する（以下、同じ）。
【００２２】
また、補助断熱材１３も長さは短いものの、主断熱材１２と同様に、一端面  （木口）１３ａが屋根勾配とほぼ同一角度に形成された傾斜面とされ、他端面  （木口）１３ｂが表裏面１３ｃ，１３ｄとほぼ垂直な平面となっている。
【００２３】
このような主断熱材１２と補助断熱材１３とを製作した後、まず、主断熱材１２の傾斜面とされた一端面１２ａを母屋１ａのほぼ鉛直な側面に密着させ、垂木１ｂに沿うようにして断熱材緊結材１４としての釘やビスなどで固定する。
【００２４】
すると、この主断熱材１２は、他方の母屋１ａの対向する側面との間に隙間が生じた状態で取り付けられたり、他方の母屋１ａの対向する側面に僅かに接触して取り付けられた状態となる。
【００２５】
次いで、この他方の母屋１ａと主断熱材１２の他端面１２ｂとの間に補助断熱材１３を配置し、隙間を塞ぐように補助断熱材１３の傾斜面とされた一端面１３ａとこれと隣接する表面１３ｃを密着させて取り付ける。
【００２６】
この補助断熱材１３の取り付けは、図１に示すように、補助断熱材１３の傾斜面とされた一端面１３ａを主断熱材１２の表面１２ｃに密着させ、補助断熱材１３の一端面１３ａに隣接している表面１３ｃを他方の母屋１ａの対向するほぼ鉛直な側面に密着させて取り付けるようにしたり、図２に示すように、補助断熱材１３の傾斜面とされた一端面１３ａを他方の母屋１ａの対向するほぼ鉛直な側面に密着させ、補助断熱材１３の一端面１３ａに隣接している表面１３ｃを主断熱材１２の表面１２ｃに密着させて取り付けるようにする場合のいずれでも良い。
【００２７】
例えば１枚の板状の断熱材１１の一端部をカットして主断熱材１２と補助断熱材１３を製作する場合に、母屋１ａの間隔によって補助断熱材１３となる断熱材片が長い場合には、図２に示すように、補助断熱材１３の傾斜面とされた一端面１３ａを他方の母屋１ａの対向するほぼ鉛直な側面に密着させ、補助断熱材１３を主断熱材１２に沿って配置するようにすれば、下方への補助断熱材１３の突出量を断熱材１１の厚さの２倍以内に抑えることができ、補助断熱材１３が短い場合にはいずれの配置としても下方への突出量に大きな影響はない。
【００２８】
また、この実施の形態では、主断熱材１２の傾斜面とした一端面１２ａを棟側（屋根の上流側）としたが、軒側（屋根の下流側）としても良いが、棟側として軒側に補助断熱材１３を重ねるようにする方が、母屋１ａの棟側のほぼ鉛直な側面の断熱材の取付けに利用できる寸法が大きく有利であり、特に断熱材を厚くする場合には、一層顕著となる。
【００２９】
なお、上記実施の形態では、主断熱材と補助断熱材とを１枚の板状の断熱材を屋根の勾配に合わせて一箇所をカットすることで製作するようにし、切断による無駄が出ないようにしたが、母屋の間隔の寸法変化を考慮して長短２種類のものを別々に成形して得るようにしても良い。
【００３０】
このような主断熱材１２や補助断熱材１３を構成する断熱材１１としては、一般に使用される断熱材であれば何でも使用することができ、例えば硬質ウレタンフォーム、イソシアヌレートフォーム、ポリスチレンフォーム、ポリエチレンフォーム、フェノールフォーム、板状のグラスウールやロックウールなどが用いられ、これらに表面材が設けられたものであっても無いものであっても良い。
【００３１】
このような屋根の断熱構造１０によれば、母屋１ａの間に主断熱材１２の傾斜した一端面１２ａを密着させて取り付けるとともに、他方の母屋１ａと主断熱材１２との間を補助断熱材１３の傾斜した一端面１３ａと隣接する表面１３ｃを密着させて取り付けるようにしたので、隙間無く断熱材を取り付けることができ、断熱性能を向上することができるとともに、現場で高精度に寸法調整をする必要もなく、簡単に施工することができる。
【００３２】
また、主断熱材１２と補助断熱材１３を１枚の板状の断熱材１１の一端部を屋根勾配に合わせてカットして作るようにすれば、板状の断熱材１１に無駄が生じることもなく、有効に利用することができる。
【００３３】
【発明の効果】
以上、一実施の形態とともに具体的に説明したようにこの発明の請求項１記載の屋根の断熱構造によれば、屋根の軸組の間に板状の断熱材を取り付けて断熱する構造で、この断熱材を主断熱材と補助断熱材とで構成し、これら主断熱材および補助断熱材を、それぞれ一端部の端面を屋根勾配とほぼ同一角度の傾斜面に形成するとともに、他端部の端面を表裏面と略垂直な平面に形成し、前記主断熱材の前記一端部の傾斜面を前記軸組を構成する母屋のほぼ鉛直な側面に密着させて取り付ける一方、前記主断熱材の前記他端部は、当該主断熱材の室内側表面と、前記軸組を構成する他方の母屋のほぼ鉛直な側面とのいずれか一方に前記補助断熱材の前記一端部の傾斜面を密着させかついずれか他方に当該補助断熱材の当該傾斜面と隣接する表面を密着させることで取り付けるようにしたので、一方の母屋の側面に主断熱材の屋根勾配に形成した一端面を接触させ、この主断熱材の他端面と他方の母屋の間の隙間を屋根勾配に形成した端面を備える補助断熱材を、傾斜した端面を母屋の側面に当てたり、主断熱材の表面のいずれかに当てて密着させて塞ぐことができ、断熱性能を向上することができるとともに、簡単に施工することができる。
【００３４】
また、この発明の請求項２記載の屋根の断熱構造によれば、前記主断熱材と前記補助断熱材とを１枚の板状の断熱材を屋根勾配とほぼ同一角度に切断した２つの断熱材片のいずれかで構成するようにしたので、１枚の板状の断熱材を屋根勾配に合わせて１回切断するだけで主断熱材と補助断熱材を得ることができ、施工が容易となるとともに、断熱材の無駄をなくすことができる。
【図面の簡単な説明】
【図１】この発明の屋根の断熱構造の一実施の形態にかかり、（ａ）は概略断面図、  （ｂ）は断熱材のみの断面図である。
【図２】この発明の屋根の断熱構造の一実施の形態にかかり、（ａ）は補助断熱材の配置が異なる概略断面図、（ｂ）は断熱材のみの断面図である。
【図３】従来の屋根の外断熱工法の概略断面図である。
【図４】従来の屋根の内断熱工法の概略断面図である。
【符号の説明】
１  軸組
１ａ  母屋
１ｂ  垂木
１０  屋根の断熱構造
１１  断熱材
１２  主断熱材
１２ａ  傾斜した一端面
１２ｂ  垂直な他端面
１２ｃ  表面
１２ｄ  裏面
１３  補助断熱材
１３ａ  傾斜した一端面
１３ｂ  垂直な他端面
１３ｃ  表面
１３ｄ  裏面
１４  断熱材緊結材
【図１】
0004676053.tif 000002
【図２】
0004676053.tif 000003
【図３】
0004676053.tif 000004
【図４】
0004676053.tif 000005